(57)【要約】【課題】従来、交通信号機の制御部が故障した場合、その制御部に対応した仮基板に交換するまで、信号機を使用できない場合があった。【解決手段】本発明の交通信号機の仮制御装置は、道路交差点に複数設置された信号灯器のそれぞれの信号点灯順序及びその点灯時間を規定したデータを複数記憶した記憶部と、この記憶部に記憶された複数のデータから選択された１つのデータに基づき、上記各信号灯器の信号点灯命令を出力する出力部とよりなり、任意の道路交差点に複数設置された信号灯器のそれぞれの信号点灯順序及びその点灯時間を制御する交通信号機の制御部に代えて、一時的に使用することを特徴とする。【選択図】図１
2012133542.tif 000002
【特許請求の範囲】
【請求項１】
道路交差点に複数設置された信号灯器のそれぞれの信号点灯順序及びその点灯時間を規定したデータを複数記憶した記憶部と、この記憶部に記憶された複数のデータから選択された１つのデータに基づき、上記各信号灯器の信号点灯命令を出力する出力部とよりなり、
任意の道路交差点に複数設置された信号灯器のそれぞれの信号点灯順序及びその点灯時間を制御する交通信号機の制御部に代えて、一時的に使用することを特徴とする交通信号機の仮制御装置。
【請求項２】
上記データは、最大６つの車両灯と、最大６つの歩行者灯と、最大６つの矢印灯の各信号灯器の信号点灯順序をそれぞれ最大３０ステップで規定されると共に、上記出力部に出力されることを特徴とする請求項１記載の交通信号機の仮制御装置。
【発明の詳細な説明】
【技術分野】
【０００１】
本発明は交通信号機の仮制御装置、特に、交通信号機の故障した制御部の代わりに一時的に使用する交通信号機の仮制御装置に関するものである。
【背景技術】
【０００２】
交通信号機は、図５に示すように、１の交差点に複数設置された車両用や歩行者用などの信号灯器１と、道路脇等に設置された１つの信号制御機２とよりなり、この信号制御機２は、フラッシュメモリ等の記憶部を有する制御部３と、この制御部３からの命令により上記信号灯器１の赤、青、黄色の点灯・点滅等の信号点灯を実行せしめる灯器開閉部４とよりなる。
【０００３】
また、上記記憶部３には、車両用の信号灯器においては赤、青、黄の信号点灯順序とその点灯時間、歩行者用の信号灯器においては赤、青、点滅の信号点灯順序とその点灯時間、矢印灯の信号灯器においては、青、無点灯の信号点灯順序とその点灯時間等のデータが記憶されている。
【０００４】
上記交通信号機においては、上記信号制御機２の制御部３や灯器開閉部４が故障した場合には、仮制御機や仮基板を用意して上記制御部３または上記灯器開閉部４と交換し、上記制御部３や上記灯器開閉部４の修理を行う必要がある。
【発明の概要】
【発明が解決しようとする課題】
【０００５】
しかしながら、上記信号制御機２の上記灯器開閉部４はメーカーや機種が違っていても、規格が共通なので仮基板と交換可能であるが、上記制御部３は、その記憶部３に記憶されたデータがメーカーや機種によって異なり、しかも、一部の信号制御機２においては、その制御部３に記憶されたデータを外部に取得することができないので、現場に上記故障した信号制御機２に対応した仮制御機が届くまで、信号機が使用できない事態が生ずる。そして、特に、休日、夜間はメーカーが対応できないので、長時間の間、信号機が使用できない場合がある。
【０００６】
本発明は上記の欠点を除くようにしたものである。
【課題を解決するための手段】
【０００７】
本発明の交通信号機の仮制御装置は、道路交差点に複数設置された信号灯器のそれぞれの信号点灯順序及びその点灯時間を規定したデータを複数記憶した記憶部と、この記憶部に記憶された複数のデータから選択された１つのデータに基づき、上記各信号灯器の信号点灯命令を出力する出力部とよりなり、任意の道路交差点に複数設置された信号灯器のそれぞれの信号点灯順序及びその点灯時間を制御する交通信号機の制御部に代えて、一時的に使用することを特徴とする。
【０００８】
また、上記データは、最大６つの車両灯と、最大６つの歩行者灯と、最大６つの矢印灯の各信号灯器の信号点灯順序をそれぞれ最大３０ステップで規定されると共に、上記出力部に出力されることを特徴とする。
【発明の効果】
【０００９】
本発明の交通信号機の仮制御装置を用いれば、任意の信号制御機２の制御部３が故障した場合でも、現場に上記故障した信号制御機に対応した仮制御機が届くまで、或いは制御部３が修理されるまで、交通信号機を使用できるという大きな利益がある。
【図面の簡単な説明】
【００１０】
【図１】本発明の交通信号機の説明図である。
【図２】本発明の交通信号機の仮制御装置の説明図である。
【図３】本発明の交通信号機の仮制御装置に使用するデータの現示階梯図である。
【図４】本発明の交通信号機の仮制御装置に使用するエクセル図の一例である。
【図５】交通信号機の説明図である。
【発明を実施するための形態】
【００１１】
以下図面によって本発明の実施例を説明する。
【実施例１】
【００１２】
本発明の交通信号機の仮制御装置５は、任意の道路交差点の信号制御機の制御部に代えて、一時的に上記信号制御機の灯器開閉部に接続される多目的制御装置であり、図１及び図２に示すように、１の道路交差点に複数設置された信号灯器１のそれぞれの信号点灯順序及びその点灯時間を規定したデータを複数記憶する記憶部６と、上記各信号灯器１の信号点灯を実行せしめる灯器開閉部４に接続される出力部７と、上記記憶部６に記憶された上記データに基づき上記出力部７に信号点灯命令を出力する演算処理部８と、外部モニタやパソコンなどの外部コンピュータ９等に接続可能な接続端子などの入出力部１０と、上記仮制御装置５に設けたモニタ１１と、上記仮制御装置５に設けた操作ボタン１２とよりなる。
【００１３】
なお、１３は電源入力コネクター、１４は灯器出力スイッチである。
【００１４】
また、上記データは、最大６つの車両灯と、最大６つの歩行者灯と、最大６つの矢印灯の各信号灯器の信号点灯順序をそれぞれ最大３０ステップで規定される。
【００１５】
なお、上記データは、上記各信号灯器１の信号点灯順序が最大３０ステップで規定できれば、現在用いられている制御部３（Ｘ１形、Ａ形、Ｕ形、ＵＣ形、新Ｕ形、新ＵＣ形）の略全てにおいて代替可能となるが、最大３１ステップ以上規定できるようにしてもよい。
【００１６】
また、上記演算処理部８は、上記規定されたデータを処理して、最大６つの車両灯、最大６つの歩行者灯、最大６つの矢印灯の各信号点灯順序及びその点灯時間を上記出力部７に出力し、この出力に基づき上記灯器開閉部４により上記各信号灯器１が信号点灯する。
【００１７】
また、上記記憶部６に記憶するデータは、道路交差点における車両灯と歩行者灯と矢印灯との数の様々な組み合わせと道路状況に基づき規定され、例えば、３つの車両灯（東行車両灯１Ｖ、東行車両灯２Ｖ、南北車両灯３Ｖ）と、３つの歩行者灯（北側歩行者灯１Ｐ、南側歩行者灯２Ｐ、南北歩行者灯３Ｐ）と、１つの矢印灯（南北右折矢印灯３Ａ）の信号灯器１を有し、東西方向の右折車が多く直線車も通過できず、東行き西行きの分離制御を行う必要のある道路交差点においては、図３に示すように、上記各信号灯器１をそれぞれ１７ステップの信号点灯順序で信号点灯するように規定される。
【００１８】
また、上記データは、例えば、図４に示すように、外部コンピュータ９でエクセルなど市販のソフトを利用して予め作成し、上記交通信号機の仮制御装置５の入出力部１０と上記外部コンピュータ９とを接続して、上記記憶部６に記憶させる。
【００１９】
なお、車両灯と歩行者灯と矢印灯の数の全ての組み合わせのデータを上記記憶部６に記憶させる必要はなく、想定される道路交差点におけるデータを例えば６４パターン記憶させておき、それ以外の組み合わせが必要な場合には、上記外部コンピュータ９を用いて、データを作成し、このデータを上記入出力部１０を介して上記記憶部６に記憶させるようにしてもよい。
【００２０】
本発明の交通信号機の仮制御装置は、上記のような構成であるから、ある道路交差点における交通信号機の信号制御機２の制御部３が故障した場合には、その道路交差点における車両灯、歩行者灯、矢印灯の数及び各信号灯器の配置、交通状況等をもとに、上記仮制御装置５の記憶部６に記憶された複数のデータから適切なものを一つ選択し、上記故障した制御部３に代えて、上記灯器開閉部４を接続せしめて、上記灯器出力スイッチ１４をＯＮにして、各信号灯器１を信号点灯せしめるようにする。
【００２１】
そして、現場に上記故障した信号制御機に対応した仮制御機が届いたとき、或いは制御部３が修理された時に、上記仮制御装置５を上記灯器開閉部４から外し、上記灯器開閉部４に仮制御機又は修理された制御部３を接続するようにする。
【００２２】
なお、現場の道路交差点において、上記記憶部６に適切なデータが記憶されていない場合には、外部コンピュータ９を利用して、データを作成し、上記入出力部１０を介して上記仮制御装置５に記憶せしめてもよい。
【００２３】
本発明の交通信号機の仮制御装置を用いれば、任意の信号制御機２の制御部３が故障した場合でも、上記仮制御装置５を一時的に上記灯器開閉部４に接続せしめれば、現場に上記故障した信号制御機に対応した仮制御機が届くまで、或いは制御部３が修理されるまで、交通信号機を使用できるという大きな利益がある。
【００２４】
また、上記故障した信号制御機に対応した仮制御機の準備を余裕もって行うことができる。
【００２５】
また、本発明は、特に、信号点灯順序が１７ステップ以上のデータを有する制御部３を有する交通信号機において有用である。
【符号の説明】
【００２６】
１    信号灯器
２    信号制御機
３    制御部
４    灯器開閉部
５    仮制御装置
６    記憶部
７    出力部
８    演算処理部
９    コンピュータ
１０  入出力部
１１  モニタ
１２  操作ボタン
１３  電源入力コネクター
１４  灯器出力スイッチ
【図１】
2012133542.tif 000003
【図２】
2012133542.tif 000004
【図３】
2012133542.tif 000005
【図４】
2012133542.tif 000006
【図５】
2012133542.tif 000007